(57)【要約】【課題】本発明は地下に埋設される二重殻タンクの漏洩検知を確実に行なうことを課題とする。【解決手段】二重殻タンク１０は、スチールタンクよりなる内殻８０と、内殻８０の外周を覆うように形成されたＦＲＰ製の樹脂タンクよりなる外殻９０とを有する二重構造になっている。液面検知センサ１５０のセンサ部１５４は、液面の変化に応じた静電容量を検知する静電容量式センサであり、漏洩検知筒６０に注入された液中に挿入されている。液面検知センサ１５０は、二重殻タンク１０の施工時に設定された液面高さを基準値として、漏洩検知筒６０内の液面が上昇または降下すると、その変位量に応じた静電容量値を検知信号として出力部１５６から出力する。漏洩検知筒６０内の液面上昇が検知された場合は、内殻８０から燃料が洩れていると判定することが可能になり、漏洩検知筒６０内の液面降下が検知された場合は、液体１６０が地中に流出したものと判定することが可能になる。【選択図】図２
2008296945.tif 000002
【特許請求の範囲】
【請求項１】
液体を貯蔵するスチール製の内殻と、
前記内殻の外側に設けられる樹脂製の外殻と、
前記内殻の頂部を除き前記内殻の外周と前記外殻との間に設けられた漏洩検知空間と、
下端が前記内殻の底部を貫通して前記検知空間に連通され、上端が前記内殻の頂部より外部に突出された検知筒と、
該検知筒内及び前記漏洩検知空間に注入された漏洩検知用液と、
前記検知筒に設けられ、前記漏洩検知用液の液面位置を検知する漏洩検知センサと、
からなることを特徴とする二重殻タンク。
【請求項２】
前記内殻の頂部の外周との間に前記漏洩検知空間に連通された連通路を形成する連通路形成部材と、
前記連通路に連通され、前記内殻の頂部より上方に突出し、前記漏洩検知用液を注入する際に前記漏洩検知空間の空気を排出するための排出口と、
を備えたことを特徴とする請求項１に記載の二重殻タンク。
【請求項３】
前記漏洩検知センサは、前記漏洩検知用液の液面位置が上昇した場合に外部から地下水が前記漏洩検知空間に流入したことを検知し、前記漏洩検知用液の液面位置が降下した場合に前記漏洩検知用液が外部に流出したことを検知可能に設けられたことを特徴とする請求項１または２に記載の二重殻タンク。
【請求項４】
前記内殻は、少なくとも前記内殻の最大許容液面高さ位置まで内面が前記液体に対して非溶解の素材によりコーティングされた耐食層を有することを特徴とする請求項１乃至３の何れかに記載の二重殻タンク。
【発明の詳細な説明】
【技術分野】
【０００１】
本発明は二重殻タンクに係り、特に地下に埋設されて油液などの燃料を貯蔵する二重殻タンクの頂部に設けられる二重殻タンクに関する。
【背景技術】
【０００２】
例えば、給油所等の給油施設では、敷地内に地下タンクを埋設し、タンクローリ車によって配送された油液を地下タンクに貯蔵している。
【０００３】
近年、地下タンクにおいては、地中に埋設された状態で腐食によるピンホールが発生することで、タンク内に貯蔵された燃料が地中に洩れたり、あるいは地下水がタンク内に流入することが問題になっている。このような地中における漏洩を防止するため、二重殻タンクが開発されている。
二重殻タンクは、特許文献１にみられるように、円筒形状の鋼板を溶接で接合してなるスチールタンク（内殻）の外周にＦＲＰ製の樹脂タンク（外殻）を設けた二重殻構造になっており、周囲からの土圧に耐える強度と地下水による腐食に耐える構造が採用されている。
【０００４】
さらに、地下タンクでは、スチールタンクの外周と樹脂タンクとの間に漏洩検知のための検知空間を設け、この検知空間に連通する検知筒をタンク頂部からタンク底部に貫通させ、タンク底部に液面検知センサを設けている。そして、液面検知センサは、樹脂タンクにピンホールが発生して地下水が検知空間に侵入した場合、あるいはスチールタンクから洩れた油液が検知空間に侵入した場合に検知信号を出力する。
【特許文献１】実用新案登録第２５７７５７８号公報
【発明の開示】
【発明が解決しようとする課題】
【０００５】
ところが、上記のような液面検知方法では、地下タンクの埋設場所によっては、地下水の無い場合があり、その場合には、樹脂タンクにピンホールが生じても地下水が検知空間に侵入しないため、検知することができないという問題があった。
【０００６】
また、雨水がタンク頂部から検知空間に侵入した場合には、液面検知センサが検知信号を出力してしまうため、誤作動による信頼性の低下を招くという問題があった。
【０００７】
そこで、本発明は上記事情に鑑み、上記課題を解決した二重殻タンクを提供することを目的とする。
【課題を解決するための手段】
【０００８】
上記課題を解決するため、本発明は以下のような手段を有する。
【０００９】
本発明は、液体を貯蔵するスチール製の内殻と、
前記内殻の外側に設けられる樹脂製の外殻と、前記内殻の頂部を除き前記内殻の外周と前記外殻との間に設けられた漏洩検知空間と、下端が前記内殻の底部を貫通して前記検知空間に連通され、上端が前記内殻の頂部より外部に突出された検知筒と、該検知筒内及び前記漏洩検知空間に注入された漏洩検知用液と、前記検知筒に設けられ、前記漏洩検知用液の液面位置を検知する漏洩検知センサと、からなることにより課題を解決するものである。
本発明は、前記内殻の頂部の外周との間に前記漏洩検知空間に連通された連通路を形成する連通路形成部材と、前記連通路に連通され、前記内殻の頂部より上方に突出し、前記漏洩検知用液を注入する際に前記漏洩検知空間の空気を排出するための排出口と、を備えたことにより課題を解決するものである。
本発明は、前記漏洩検知センサが、前記漏洩検知用液の液面位置が上昇した場合に外部から地下水が前記漏洩検知空間に流入したことを検知し、前記漏洩検知用液の液面位置が降下した場合に前記漏洩検知用液が外部に流出したことを検知可能に設けられたことにより課題を解決するものである。
本発明は、少なくとも前記内殻の最大許容液面高さ位置まで内面が前記液体に対して非溶解の素材によりコーティングされた耐食層を有することにより課題を解決するものである。
【発明の効果】
【００１０】
本発明によれば、下端が内殻の底部を貫通して検知空間に連通され、上端が内殻の頂部より外部に突出された検知筒及び漏洩検知空間に注入された漏洩検知用液の液面変化を漏洩検知センサによって検知するため、内殻からの洩れも外殻からの洩れも正確に検知することができ、漏洩検知の信頼性を高めることが可能になる。
【発明を実施するための最良の形態】
【００１１】
以下、図面を参照して本発明を実施するための最良の形態について説明する。
【実施例１】
【００１２】
図１は本発明による二重殻タンクの一実施例を示す斜視図である。図１に示されるように、二重殻タンク１０は、地下に設けられたコンクリート基礎２０に搭載され、周囲に土砂で囲まれた状態に埋設される。また、二重殻タンク１０の頂部には、タンクローリ車からの荷卸しホースが接続される注油管３２と、給油配管４０が接続される配管継手３４と、漏洩検知部５０と、液吸引用の接続部７０とが設けられている。
【００１３】
図２は二重殻タンク１０の構成を示す部分断面図である。図２に示されるように、二重殻タンク１０は、スチールタンクよりなる内殻８０と、内殻８０の外周を覆うように形成されたＦＲＰ製の樹脂タンクよりなる外殻９０とを有する二重構造になっている。
【００１４】
さらに、内殻８０の内周面には、少なくとも内殻８０の最大許容液面高さ位置まで油液に対して非溶解の素材、例えば、エポキシ樹脂等をコーティングした耐食層８２が形成されている。これにより、内殻８０は、内周面からの腐食を防止することが可能になっている。尚、耐食層８２としては、上記樹脂材に限らず、例えば、耐食性を有するステンレス材による薄肉のシートを少なくとも内殻８０の最大許容液面高さ位置まで接着剤により貼付する構造としても良い。
【００１５】
内殻８０と外殻９０との間には、薄い樹脂製シート（例えば、厚さ０．５ミリのビニロンクロス）等からなる空間確保部材１００が介在している。この空間確保部材１００は、内殻８０と外殻９０との隙間より薄いフィルム状素材により形成されているため、内殻８０の外周面に密着することで、より微小な隙間からなる漏洩検知空間１１０を外殻９０の内周面との間に形成することができる。尚、空間確保部材１００には、樹脂製シート以外にも樹脂繊維層、和紙などの薄くて吸水性を有するシート状のものを用いても良い。
【００１６】
漏洩検知部５０の筒状の内部には、漏洩検知筒６０が挿通されている。漏洩検知筒６０は、内殻８０を上下方向で貫通するように設けられ、下端６２がタンク底部の漏洩検知空間１１０に連通し、上端が二重殻タンク１０の頂部より上方に突出している。この漏洩検知筒６０の上端６４は、漏洩検知空間１１０に液体（不凍液）を注入するための注入口として使用されると共に、設置後には液面を検知する漏洩検知センサの取付部として使用される。
【００１７】
図３は図２中Ｘ−Ｘ線に沿う二重殻タンク１０の縦断面図である。図３に示されるように、二重殻タンク１０は、最大許容液面高さ位置Ｈmaxが全タンク容量の９０％となるように決められている。従って、二重殻タンク１０は、最大許容液面高さ位置Ｈmaxに達するまで油液をタンクローリ車から荷卸しされる。
【００１８】
また、外殻９０は、内殻８０の全周ではなく、最大許容液面高さ位置Ｈmaxより上方の頂部１２０を除く外周を覆うように形成されている。従って、漏洩検知空間１１０も最大許容液面高さ位置Ｈmaxを上限として形成されている。
図４は図２及び図３に示すＡ部を拡大して示す縦断面図である。図４に示されるように、内殻８０の頂部１２０には、漏洩検知空間１１０が形成されておらず、最大許容液面高さ位置Ｈmaxよりも下方となる内殻８０と外殻９０との間に空間確保部材１００が介在している。そして、漏洩検知空間１１０の上端では、内殻８０の外周に外殻９０の縁部９２が直接固着されているので、漏洩検知空間１１０に注入された液体がそれ以上上方に移動しないようになっている。さらに、外殻９０の縁部９２の表面及び内殻８０の頂部１２０の表面には、ＦＲＰ等の樹脂材１３０がコーティングされているので、例えば、雨水などが漏洩検知空間１１０に侵入できないように内殻８０の頂部１２０と外殻９０の縁部９２との間がシールされている。
図５は図３に示すＢ部を拡大して示す縦断面図である。図５に示されるように、漏洩検知筒６０の下端６２は、多孔質部材１４０に当接している。この多孔質部材１４０は、漏洩検知筒６０の異物が漏洩検知空間１１０に侵入することを防止するフィルタとして機能しており、漏洩検知空間１１０が異物で詰まらないようにしている。さらに、多孔質部材１４０は、漏洩検知筒６０の下端６２と外殻９０の内周面との間隔を設定するスペーサとしても機能している。
【００１９】
ここで、図６を参照して漏洩検知部５０について説明する。図６に示されるように、漏洩検知部５０に挿通された漏洩検知筒６０の上端６４には、漏洩検知筒６０内に注入された液体の変化を検知する液面検知センサ１５０が取り付けられている。この液面検知センサ１５０は、漏洩検知筒６０の上端６４を閉塞する蓋１５２と、蓋１５２の下面に保持され棒状に形成されたセンサ部１５４と、センサ部１５４で検知された検知信号を出力する出力部１５６とを有する。
【００２０】
センサ部１５４は、例えば、液面の変化に応じた静電容量を検知する静電容量式センサであり、漏洩検知筒６０に注入された液中に挿入されている。また、漏洩検知筒６０に注入された液体１６０の液面は、最大許容液面高さ位置Ｈmaxより上方に位置するように設定されている。これにより、タンク内の液位が最大許容液面高さ位置Ｈmaxに達しているときに内殻８０で漏洩が生じ場合、液体１６０の液面が低下して内殻８０での漏洩検知を可能にする。
【００２１】
液面検知センサ１５０は、静電容量式液面計からなり、内側円筒状電極を有する内筒と外側円筒状電極を有する外筒とを同心円状に配置したものであり、内筒と外筒との間に形成された円筒状空間に流入した液体の高さに応じた静電容量を検出するように構成されている。従って、液面検知センサ１５０は、二重殻タンク１０の施工時に設定された液面高さを基準値として、漏洩検知筒６０内の液面が上昇または降下すると、その変位量に応じた静電容量値を検知信号として出力部１５６から出力する。
【００２２】
そのため、漏洩検知筒６０内の液面上昇が液面検知センサ１５０によって検知された場合は、内殻８０から燃料が洩れていると判定することが可能になり、漏洩検知筒６０内の液面降下が液面検知センサ１５０によって検知された場合は、外殻９０にピンホールが発生して液体１６０が地中に流出したものと判定することが可能になる。
【００２３】
また、二重殻タンク１０に周囲に地下水が溜っている場合には、外殻９０にピンホールが発生すると、地下水が漏洩検知空間１１０に流入するため、液面検知センサ１５０によって洩検知筒６０内の液面上昇が検知される。また、内殻８０における油液の貯蔵量が減少している場合には、内殻８０にピンホールが発生すると、液体１６０が内殻８０に流出するため、液面検知センサ１５０によって洩検知筒６０内の液面降下が検知される。
【００２４】
このように、液面検知センサ１５０は、従来のように漏洩検知空間１１０に流入した液体を検知するのではなく、漏洩検知筒６０内の液面変化を検知することにより二重殻タンク１０における漏洩検知を行なうため、正確に漏洩検知することが可能になる。よって、洩検知筒６０内の液面を検知する液面検知センサ１５０により内殻８０からの洩れも外殻９０からの洩れも正確に検知することができ、漏洩検知の信頼性を高めることが可能になる。
【００２５】
尚、本実施例では、液面検知センサ１５０に静電容量式液面計を用いた構成を例に挙げて説明したが、これ以外の液面計（例えば、液面に超音波を照射してその反射を受信するまでの時間から液面高さを検知する超音波式液面計など）を用いても良いのは勿論である。
ここで、接続部７０の構成について説明する。図７は接続部７０を拡大して示す縦断面図である。図７に示されるように、接続部７０は、内殻８０の頂部１７０を覆うように形成された連通路形成部材１８０と、内殻８０の頂部１７０と連通路形成部材１８０との間に形成された空気排出空間１９０と、下端が空気排出空間１９０に連通された排出管２００と、排出管２００の上端を閉止する閉止栓２１０とを有する。
また、空気排出空間１９０は、外殻９０の頂部１７０を覆うように形成された円弧形状の空間であり、その両端が連通路形成部材１８０の下方で漏洩検知空間１１０に連通している。そして、空気排出空間１９０は、漏洩検知空間１１０に液体１６０を注入する際に漏洩検知空間１１０に残存する空気を外部に排出するための排出通路を構成している。
【００２６】
さらに、連通路形成部材１８０は、表面にＦＲＰ等の樹脂材２２０がコーティングされており、排出管２００との連通路形成部材１８０の周縁部と外殻９０との境界部分にも樹脂材２２０がコーティングされている。これにより、連通路形成部材１８０の周縁部及び排出管２００の外周が気密にシールされる。
【００２７】
次に、漏洩検知筒６０から漏洩検知空間１１０に液体１６０を注入する際の方法について図８を参照して説明する。図８に示されるように、地下に埋設された二重殻タンク１０は、洩検知筒６０の上端がマンホール２４０に挿入され、接続部７０がマンホール２５０に挿入される。
まず、マンホール２５０を介して接続部７０の排出管２００から閉止栓２１０を外し、代りに負圧発生装置３００の吸引管３１０を排出管２００の上端に接続する。
【００２８】
続いて、マンホール２４０を介して洩検知筒６０の上端から液面検知センサ１５０を取り外す。そして、洩検知筒６０の上端開口に液体１６０を注入する。これと共に、負圧発生装置３００を作動させて排出管２００が連通された空気排出空間１９０の空気を外部に排出する。これにより、空気排出空間１９０に連通された漏洩検知空間１１０の空気も吸引されて外部に排出されるため、漏洩検知空間１１０において負圧が生じ、洩検知筒６０の注入された液体１６０を漏洩検知空間１１０の末端まで注入することが可能になる。
【００２９】
接続部７０に液体１６０が達した時点で、負圧発生装置３００の吸引管３１０を排出管２００から外して閉止栓２１０を排出管２００の上端に装着して閉止する。これにより、接続部７０からの液体１６０の流出、及び空気流入が阻止される。
【００３０】
この後、洩検知筒６０内の液面高さを、図６に示されるように、最大許容液面高さ位置Ｈmaxより上方に位置するように設定する。そして、液面検知センサ１５０を洩検知筒６０の上端開口に挿入して固定する。これにより、内殻８０と外殻９０との間に形成された空気排出空間１９０内には、全体に液体１６０が注入され、内殻８０または外殻９０からの洩れを検知することが可能になる。
【産業上の利用可能性】
【００３１】
尚、上記実施例では、給油所に設置される地下タンクについて説明したが、これに限らず、他の燃料（例えば、ＣＮＧ等のガスや燃料電池車に供給される水素等）を貯蔵する二重殻タンクにも適用することができるのは勿論である。
【図面の簡単な説明】
【００３２】
【図１】本発明による二重殻タンクの一実施例を示す斜視図である。
【図２】二重殻タンク１０の構成を示す部分断面図である。
【図３】図２中Ｘ−Ｘ線に沿う二重殻タンク１０の縦断面図である。
【図４】図２及び図３に示すＡ部を拡大して示す縦断面図である。
【図５】図３に示すＢ部を拡大して示す縦断面図である。
【図６】漏洩検知部５０の構成を示す縦断面図である。
【図７】接続部７０を拡大して示す縦断面図である。
【図８】漏洩検知筒６０から漏洩検知空間１１０に液体１６０を注入する際の方法を説明するための側面図である。
【符号の説明】
【００３３】
１０  二重殻タンク
５０  漏洩検知部
６０  漏洩検知筒
７０  接続部
８０  内殻
８２  耐食層
９０  外殻
１００  空間確保部材
１１０  漏洩検知空間
１２０，１７０  頂部
１４０  多孔質部材
１５０  液面検知センサ
１５４  センサ部
１５６  出力部
１６０  液体
１８０  連通路形成部材
１９０  空気排出空間
２００  排出管
２１０  閉止栓
３００  負圧発生装置
３１０  吸引管
【図１】
2008296945.tif 000003
【図２】
2008296945.tif 000004
【図３】
2008296945.tif 000005
【図４】
2008296945.tif 000006
【図５】
2008296945.tif 000007
【図６】
2008296945.tif 000008
【図７】
2008296945.tif 000009
【図８】
2008296945.tif 000010